【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
放射線治療における腫瘍領域設定方法において、核医学画像情報から閾値を用いて腫瘍領域の輪郭情報を抽出し、この抽出した輪郭情報をベクトル線画情報に変換することを特徴とする腫瘍領域設定方法。
【請求項２】
前記閾値として前記核医学画像情報に含まれる放射能カウント値を用いることを特徴とする請求項１記載の腫瘍領域設定方法。
【請求項３】
前記閾値としてＳＵＶ値を用いることを特徴とする請求項１記載の腫瘍領域設定方法。
【請求項４】
前記ベクトル線画情報とＸ線ＣＴ画像情報とを重ねて表示することを特徴とする請求項１記載の腫瘍領域設定方法。
【請求項５】
前記ベクトル線画情報はベジエ曲線情報であることを特徴とする請求項４記載の腫瘍領域設定方法。
【請求項６】
前記ベクトル線画情報はポリゴン線画情報であることを特徴とする請求項４記載の腫瘍領域設定方法。
【請求項７】
前記核医学画像情報はＰＥＴ画像情報であることを特徴とする請求項４記載の腫瘍領域設定方法。
【請求項８】
放射線治療に際し腫瘍領域の設定を行う腫瘍領域設定システムにおいて、
核医学画像情報から閾値を用いて腫瘍領域の輪郭情報を抽出し、前記抽出した輪郭情報をベクトル線画情報に変換する演算装置と、
前記演算装置で変換した前記ベクトル線画情報をＸ線ＣＴ画像情報に重ねて表示する表示装置と
を備えたことを特徴とする腫瘍領域設定システム。
【請求項９】
放射線治療に際し腫瘍領域の設定を行う腫瘍領域設定システムにおいて、
核医学画像情報から閾値を用いて腫瘍領域の輪郭情報を抽出し、前記抽出した輪郭情報をベクトル線画情報に変換する演算装置と、
Ｘ線ＣＴ画像情報である第１画像情報と、前記Ｘ線ＣＴ画像情報と前記核医学画像情報とを重ね合わせた第２画像情報とを並べて表示すると共に、前記演算装置で変換した前記ベクトル線画情報を前記第１画像情報に重ねて表示する表示装置と
を備えたことを特徴とする腫瘍領域設定システム。
【請求項１０】
放射線治療に際し腫瘍領域の設定を行う腫瘍領域設定システムにおいて、
核医学画像情報から閾値を用いて腫瘍領域の輪郭情報を抽出し、前記抽出した輪郭情報をベクトル線画情報に変換する演算装置と、
Ｘ線ＣＴ画像情報である第１画像情報と、ＭＲＩ画像情報と前記核医学画像情報とを重ね合わせた第２画像情報とを並べて表示すると共に、前記演算装置で変換した前記ベクトル線画情報を前記第１画像情報に重ねて表示する表示装置と
を備えたことを特徴とする腫瘍領域設定システム。
【請求項１１】
前記演算装置は、前記閾値として前記核医学画像情報に含まれる放射能カウント値を用いて前記核医学画像情報から腫瘍領域の輪郭情報を抽出することを特徴とする請求項８〜１０のいずれか１項記載の腫瘍領域設定システム。
【請求項１２】
前記演算装置は、前記閾値としてＳＵＶ値を用いて前記核医学画像情報から腫瘍領域の輪郭情報を抽出することを特徴とする請求項８〜１０のいずれか１項記載の腫瘍領域設定システム。
【手続補正２】
【補正対象書類名】明細書
【補正対象項目名】０００９
【補正方法】変更
【補正の内容】
【０００９】
（１）上記した目的を達成する第１の発明の特徴は、放射線治療における腫瘍領域設定方法において、核医学画像情報から閾値を用いて腫瘍領域の輪郭情報を抽出し、この抽出した輪郭情報をベクトル線画情報に変換することを特徴とする腫瘍領域設定方法にある。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
（２）上記した目的を達成する第２の発明の特徴は、前記閾値として前記核医学画像情報に含まれる放射能カウント値を用いることを特徴とする上記（１）記載の腫瘍領域設定方法にある。
【手続補正５】
【補正対象書類名】明細書
【補正対象項目名】００１３
【補正方法】変更
【補正の内容】
【００１３】
（３）上記した目的を達成する第３の発明の特徴は、前記閾値としてＳＵＶ値を用いることを特徴とする上記（１）記載の腫瘍領域設定方法にある。
【手続補正６】
【補正対象書類名】明細書
【補正対象項目名】００１４
【補正方法】変更
【補正の内容】
【００１４】
（４）上記した目的を達成する第４の発明の特徴は、前記ベクトル線画情報とＸ線ＣＴ画像情報とを重ねて表示することを特徴とする上記（１）記載の腫瘍領域設定方法にある。
【手続補正７】
【補正対象書類名】明細書
【補正対象項目名】００１５
【補正方法】変更
【補正の内容】
【００１５】
（５）上記した目的を達成する第５の発明の特徴は、前記ベクトル線画情報はベジエ曲線情報であることを特徴とする上記（４）記載の腫瘍領域設定方法にある。
【手続補正８】
【補正対象書類名】明細書
【補正対象項目名】００１６
【補正方法】変更
【補正の内容】
【００１６】
（６）上記した目的を達成する第６の発明の特徴は、前記ベクトル線画情報はポリゴン線画情報であることを特徴とする上記（４）記載の腫瘍領域設定方法にある。
【手続補正９】
【補正対象書類名】明細書
【補正対象項目名】００１７
【補正方法】変更
【補正の内容】
【００１７】
（７）上記した目的を達成する第７の発明の特徴は、前記核医学画像情報はＰＥＴ画像情報であることを特徴とする上記（４）記載の腫瘍領域設定方法にある。
【手続補正１０】
【補正対象書類名】明細書
【補正対象項目名】００１８
【補正方法】変更
【補正の内容】
【００１８】
（８）上記した目的を達成する第８の発明の特徴は、放射線治療に際し腫瘍領域の設定を行う腫瘍領域設定システムにおいて、核医学画像情報から閾値を用いて腫瘍領域の輪郭情報を抽出し、前記抽出した輪郭情報をベクトル線画情報に変換する演算装置と、前記演算装置で変換した前記ベクトル線画情報をＸ線ＣＴ画像情報に重ねて表示する表示装置とを備えたことを特徴とする腫瘍領域設定システムにある。
【手続補正１１】
【補正対象書類名】明細書
【補正対象項目名】００１９
【補正方法】変更
【補正の内容】
【００１９】
（９）上記した目的を達成する第９の発明の特徴は、放射線治療に際し腫瘍領域の設定を行う腫瘍領域設定システムにおいて、核医学画像情報から閾値を用いて腫瘍領域の輪郭情報を抽出し、前記抽出した輪郭情報をベクトル線画情報に変換する演算装置と、Ｘ線ＣＴ画像情報である第１画像情報と、前記Ｘ線ＣＴ画像情報と前記核医学画像情報とを重ね合わせた第２画像情報とを並べて表示すると共に、前記演算装置で変換した前記ベクトル線画情報を前記第１画像情報に重ねて表示する表示装置とを備えたことを特徴とする腫瘍領域設定システムにある。
【手続補正１２】
【補正対象書類名】明細書
【補正対象項目名】００２０
【補正方法】変更
【補正の内容】
【００２０】
（１０）上記した目的を達成する第１０の発明の特徴は、放射線治療に際し腫瘍領域の設定を行う腫瘍領域設定システムにおいて、核医学画像情報から閾値を用いて腫瘍領域の輪郭情報を抽出し、前記抽出した輪郭情報をベクトル線画情報に変換する演算装置と、Ｘ線ＣＴ画像情報である第１画像情報と、ＭＲＩ画像情報と前記核医学画像情報とを重ね合わせた第２画像情報とを並べて表示すると共に、前記演算装置で変換した前記ベクトル線画情報を前記第１画像情報に重ねて表示する表示装置とを備えたことを特徴とする腫瘍領域設定システムにある。
（１１）上記した目的を達成する第１１の発明の特徴は、前記演算装置は、前記閾値として前記核医学画像情報に含まれる放射能カウント値を用いて前記核医学画像情報から腫瘍領域の輪郭情報を抽出することを特徴とする上記（８）〜（１０）のいずれか１項記載の腫瘍領域設定システムにある。
（１２）上記した目的を達成するための第１２の発明の特徴は、前記演算装置は、前記閾値としてＳＵＶ値を用いて前記核医学画像情報から腫瘍領域の輪郭情報を抽出することを特徴とする上記（８）〜（１０）のいずれか１項記載の腫瘍領域設定システムにある。